(57)【要約】【課題】  ユーザ操作の手間をかけないで、国際ローミングサービスを受けるために必要な、現在いる国の設定を行う携帯電話機を提供する。【解決手段】  世界の国々について、各国の識別名と、当該国でのＦＭ放送の許容周波数を示す許容周波数情報とを対応付けて記載したＦＭ周波数情報と、各国の通信事業者別の通信周波数とを記載した通信事業者リストとを記憶する記憶部１７０と、前記ＦＭ周波数情報に記載されたすべての国の許容周波数情報に基づいて選局を順次行う選局指示部１８２と、選局された周波数のうち電波強度が良好なすべての周波数が、前記許容周波数情報にて示される許容周波数に該当する国を自機の現在位置する国候補として一つ以上特定する国候補特定部１８１と、国候補のうちから現在位置する国を特定し、国設定する国設定部１８５とを備える。【選択図】  図１
2010136393.tif 000002
【特許請求の範囲】
【請求項１】
ＦＭ放送の受信機能を有する携帯電話機であって、
世界の地域について、各地域の識別名と、当該地域においてＦＭ放送の許容周波数を示す許容周波数情報とを対応付けて記載したＦＭ周波数情報を記憶する記憶手段と、
前記ＦＭ周波数情報に記載されたすべての地域の許容周波数情報に基づいて選局を順次行う選局手段と、
選局された周波数のうち電波強度が第１の基準値以上であるすべての周波数が、前記許容周波数情報にて示される許容周波数に該当する地域を自機の現在位置する地域候補として一つ以上特定する地域候補特定手段とを備え、
前記記憶手段は、さらに、前記各地域の識別名と、当該地域での携帯電話サービスの通信事業者の識別名と、当該通信事業者の通信周波数の情報とを対応付けた通信事業者リストを記憶し、
指定された通信周波数の電波をサーチするサーチ手段と、
前記地域候補特定手段にて特定された地域候補が一つの場合、当該地域候補を現在位置する地域として設定し、
前記候補特定手段により特定された地域候補が複数の場合、当該複数の各地域候補毎に、当該地域候補の前記通信事業者の通信周波数の電波を前記サーチ手段にサーチさせ、当該通信周波数の電波強度が第２の基準値以上である場合、当該通信周波数に対応付けられた通信事業者の識別名が当該通信周波数で送信されている報知のための制御情報に含まれている通信事業者の識別名に該当するとき、当該地域候補を現在位置する地域として設定する地域設定手段とをさらに備えることを特徴とする携帯電話機。
【請求項２】
前記許容周波数の情報は、ＦＭ放送の周波数帯とステップ周波数とを地域別に記載した情報であり、
当該地域での許容周波数は、前記周波数帯の最低周波数にステップ周波数の非負整数倍を加えた周波数のうち前記周波数帯の最高周波数以下の周波数であり、
前記選局手段は、前記ＦＭ周波数情報に記載されたすべての地域の許容周波数を重複しないようにして選局を順次行い、
前記地域候補特定手段は、電波強度が第１の基準値以上である周波数のいずれもが、前記許容周波数に該当する地域を地域候補として一つ以上特定することを特徴とする請求項１記載の携帯電話機。
【請求項３】
ＦＭ放送を受信して再生出力するＦＭ放送再生手段を、さらに備え、
前記ＦＭ周波数リストは、さらに、
地域毎に、前記ＦＭ放送受信手段による再生出力を補正するための補正情報を記載し、
前記ＦＭ周波数リストにおいて、前記地域設定手段により設定された地域の前記補正情報に基づいて前記ＦＭ放送再生手段に対し再生出力の補正を行なわせるＦＭ補正手段をさらに備えることを特徴とする請求項１記載の携帯電話機。
【請求項４】
前記補正情報は変調度であり、
前記再生出力の補正は前記変調度に基づく音量の補正であることを特徴とする請求項３記載の携帯電話機。
【請求項５】
ＦＭ放送の受信機能を有する携帯電話機の現在位置する地域の候補を特定する地域候補特定方法であって、
世界の地域について、各地域の識別名と、当該地域においてＦＭ放送の許容周波数を示す許容周波数情報とを対応付けて記載したＦＭ周波数情報を記憶領域に記録する記録ステップと、
前記ＦＭ周波数情報に記載されたすべての地域の許容周波数情報に基づいて選局を順次行う選局ステップと、
選局された周波数のうち電波強度が第１の基準値以上であるすべての周波数が、前記許容周波数情報にて示される許容周波数に該当する地域を自機の現在位置する地域候補として一つ以上特定する地域候補特定ステップとを備え、
前記記憶ステップは、さらに、
前記各地域の識別名と、当該地域での携帯電話サービスの通信事業者の識別名と、当該通信事業者の通信周波数の情報とを対応付けた通信事業者リストを記憶し、
指定された通信周波数の電波をサーチするサーチステップと、
前記地域候補特定ステップにて特定された地域候補が一つの場合、当該地域候補を現在位置する地域として設定し、
前記候補特定ステップにより特定された地域候補が複数の場合、当該複数の各地域候補毎に、当該地域候補の前記通信事業者の通信周波数の電波を前記サーチステップにサーチさせ、当該通信周波数の電波強度が第２の基準値以上である場合、当該通信周波数に対応付けられた通信事業者の識別名が当該通信周波数で送信されている報知のための制御情報に含まれている通信事業者の識別名に該当するとき、当該地域候補を現在位置する地域として設定する地域設定ステップとを備えることを特徴とする携帯電話機の地域候補特定方法。  
【発明の詳細な説明】
【技術分野】
【０００１】
本発明は、携帯電話機に関し、特にＦＭ放送受信機能を有する携帯電話機の技術に関する。
【背景技術】
【０００２】
国外に出張あるいは観光で出かける人はますます増えているが、外国でも手持ちの携帯電話を利用したいという要望に答えるため、国内で契約している通信事業者の提携先通信事業者の通信設備を利用することで、出先の外国にて携帯電話で通話等ができる国際ローミングというサービスが普及し始めている。
【０００３】
携帯電話の通信方式には、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＣＤＭＡ（Ｃｏｄｅ  Ｄｉｖｉｓｉｏｎ  Ｍｕｌｔｉｐｌｅ  Ａｃｃｅｓｓ）等があり、手持ちの携帯電話機がそれらの通信方式に
対応していれば、国際ローミングのサービスが受けられる。
【０００４】
国際ローミングサービスを実際に利用するには、携帯電話機自体が現在位置する国の設定を行う必要がある。特許文献１には、国内移動に関してではあるが、ＧＰＳまたは手操作により決定した現在位置を利用する技術が開示されている。
【０００５】
上記国際ローミングサービスの場合、国の設定はユーザによる手操作で行っているのが現状である。
【先行技術文献】
【特許文献】
【０００６】
【特許文献１】特開平６−９０１８３号公報
【発明の概要】
【発明が解決しようとする課題】
【０００７】
しかし、国境を移動するたびに携帯電話機が現在位置する国の設定を手操作で行なうのは不便である。
【０００８】
本発明はかかる課題に鑑み、ユーザによる手操作を必要とせず、国の設定を行うための一助としてＦＭ受信機能を利用する携帯電話機を提供することを第１の目的とする。
【０００９】
また、設定された国に応じてＦＭ出力補正を行なうことを第２の目的とする。
【課題を解決するための手段】
【００１０】
上記課題を解決するために本発明の携帯電話機は、国内外のＦＭ放送の受信機能を有する携帯電話機であって、世界の国々について、各国の識別名と、当該国においてＦＭ放送の許容周波数を示す許容周波数情報とを対応付けて記載したＦＭ周波数情報を記憶する記憶手段と、前記ＦＭ周波数情報に記載されたすべての国の許容周波数情報に基づいて選局を順次行う選局手段と、選局された周波数のうち電波強度が第１の基準値以上であるすべての周波数が、前記許容周波数情報にて示される許容周波数に該当する国を自機の現在位置する国候補として一つ以上特定する国候補特定手段とを備えることとしている。
【発明の効果】
【００１１】
上記構成により、ＦＭ放送電波の許容周波数の国単位での情報を利用し、ＦＭ放送の現在の受信状況から、携帯電話機自身が現在位置する国の候補を絞り込むことができる。
【００１２】
また、前記記憶手段は、さらに、前記各国の識別名と、当該国での携帯電話サービスの通信事業者の識別名と、当該通信事業者の通信周波数の情報とを対応付けた通信事業者リストを記憶し、指定された通信周波数の電波をサーチするサーチ手段と、前記国候補特定手段にて特定された国候補が一つの場合、当該国候補を現在位置する国として設定し、前記候補特定手段により特定された国候補が複数の場合、当該複数の各国候補毎に、当該国候補の前記通信事業者の通信周波数の電波を前記サーチ手段にサーチさせ、当該通信周波数の電波強度が第２の基準値以上である場合、当該通信周波数に対応付けられた通信事業者の識別名が当該通信周波数で送信されている報知のための制御情報に含まれている通信事業者の識別名に該当するとき、当該国候補を現在位置する国として設定する国設定手段とをさらに備えることとしている。
【００１３】
これにより、絞りこんだ現在位置の国候補が一つなら当該国を現在位置する国として設定し、また、複数なら候補国の通信事業者の情報をもとに基地局のサーチを行って、基地局からのＳＹＮＣ情報をもとに一つの国を特定し設定することができる。
【００１４】
また、前記許容周波数の情報は、ＦＭ放送の周波数帯とステップ周波数とを国別に記載した情報であり、当該国での許容周波数は、前記周波数帯の最低周波数にステップ周波数の非負整数倍を加えた周波数のうち前記周波数帯の最高周波数以下の周波数であり、前記選局手段は、前記ＦＭ周波数情報に記載されたすべての国の許容周波数を重複しないようにして選局を順次行い、前記国候補特定手段は、電波強度が第１の基準値以上である周波数のいずれもが、前記許容周波数に該当する国を国候補として一つ以上特定することとしている。
【００１５】
これにより、周波数帯とステップ周波数とから国毎のＦＭ放送の許容周波数を得ることができる。
【００１６】
また、ＦＭ放送を受信して再生出力するＦＭ放送再生手段を、さらに備え、前記ＦＭ周波数リストは、さらに、国毎に、前記ＦＭ放送受信手段による再生出力を補正するための補正情報を記載し、前記ＦＭ周波数リストにおいて、前記国設定手段により設定された国の前記補正情報に基づいて前記ＦＭ放送再生手段に対し再生出力の補正を行なわせるＦＭ補正手段をさらに備えることとしている。
【００１７】
これにより、国に準じてＦＭ放送の再生出力を補正するので、ユーザは国による再生出力の補正をする必要がない。
【００１８】
また、前記補正情報は変調度であり、前記再生出力の補正は前記変調度に基づく音量の補正であることとしている。
【００１９】
これにより、ユーザは国による音量調整をする必要がない。
【００２０】
上記課題を解決するために本発明の携帯電話機の方法は、国内外のＦＭ放送の受信機能を有する携帯電話機の現在位置する国の候補を特定する国候補特定方法であって、世界の国々について、各国の識別名と、当該国においてＦＭ放送の許容周波数を示す許容周波数情報とを対応付けて記載したＦＭ周波数情報を記憶領域に記録する記録ステップと、前記ＦＭ周波数情報に記載されたすべての国の許容周波数情報に基づいて選局を順次行う選局ステップと、選局された周波数のうち電波強度が第１の基準値以上であるすべての周波数が、前記許容周波数情報にて示される許容周波数に該当する国を自機の現在位置する国候補として一つ以上特定する国候補特定ステップとを備えることとしている。
【００２１】
上記方法により、ＦＭ放送電波の許容周波数の国単位での情報を利用し、ＦＭ放送の現在の受信状況から、携帯電話機自身が現在位置する国の候補を絞り込むことができる。
【図面の簡単な説明】
【００２２】
【図１】本発明に係る携帯端末の携帯電話機の一実施の形態の構成図である。
【図２】上記実施の形態の携帯電話機がＦＭ放送波および基地局電波を受信する様子を示す図である。
【図３】上記実施の形態の国別ＦＭ周波数の例を示す図である。
【図４】上記実施の形態のＦＭ周波数の変調度と音の強さの関係を示す図である。
【図５】上記実施の形態の通信事業者リストの一例を示す図である。
【図６】上記実施の形態のＦＭ放送の受信良好周波数と、当該周波数が該当する許容される国の一例を示す図である。
【図７】上記実施の形態の国候補特定の動作を示すフローチャートである。
【図８】上記実施の形態の国設定の動作を示すフローチャートである。
【発明を実施するための形態】
【００２３】
以下、本発明に係る携帯電話機の一実施の形態について図面を用いて説明する。
（一実施の形態）
図１は、本実施の形態の携帯電話機の機能の構成を示す図である。
【００２４】
携帯電話機は、アンテナ１０５、通信部１１０、イヤホン（ＦＭアンテナ）１１５、ＦＭチューナ１２０、ＦＭ音量制御部１２５、音声処理部１３０、操作部１５０、表示部１６０、記憶部１７０、制御部１８０から構成される。
【００２５】
アンテナ１０５は、不図示の通信基地局から通話を含む各種の通信データの信号で変調された高周波を受け取り、通信部１１０に伝達する。また、逆に通信部１１０から伝達された各種の通信データ等の信号で変調された高周波を通信基地局に送る。
【００２６】
通信部１１０は、アンテナ１０５から受け取った高周波の変調信号を、通話相手の声等のベースバンド信号に復調し、音声は音声処理部１２０に出力する。また逆に、当電話機の話者の音声等の変調信号により高周波を変調し、変調された高周波をアンテナ１０５に伝達する。
【００２７】
通信部１１０は、また、通信事業者が管轄する基地局から発信されていて、制御部１８０の国設定部１８５から指示された通信周波数の電波をサーチ（探索）する。そして、その周波数の電界強度を電波強度とみなして検出する。検出した電界強度が所定の基準値（第２の基準値）以上であるか否かチェックし、基準値以上であれば電波強度が良好と判断し、基準値未満であれば電波強度が不良と判断し、判断結果を国設定部１８５に伝達する。電界強度が良好であるとき、通信事業者から発信されている報知のための制御情報（以下「ＳＹＮＣ情報」という）を受信し、国設定部１８５に伝達する。ここで、上記の電界強度の基準値を、たとえば―１００ｄＢｍとする。
【００２８】
イヤホン（ＦＭアンテナ）１１５は、音声処理部１３０から伝達された音声の出力を行なう。また、ＦＭ放送用アンテナの機能も兼ね、ＦＭ放送の放送波を受信し、ＦＭチューナ１２０に伝達する。
【００２９】
ＦＭチューナ１２０は、イヤホン（ＦＭアンテナ）１１５が受信した放送波のうち、制御部１８０の選局指示部１８２から指示された周波数の放送波を選局、検波し、検波された信号である音声信号をＦＭ音量制御部１２５に伝達する。また、指示された周波数の放送波の電波強度を検出し、検出結果を選局指示部１８２に伝達する。ここで、周波数の代わりにチャネル番号であってもよい。
【００３０】
音量制御部１２５は、ＦＭチューナ１２０から伝達された音声信号を出力補正の指示情報に基づいて増幅して、音声処理部１３０に出力する。ＦＭ音量制御部１２５は、制御部１８０のＦＭ補正部１８６から、出力補正の指示情報として音量の補正係数を受け取る。そして、再生出力する音量を２０ｘｌｏｇ（補正係数）ｄＢ増幅して音声処理部１３０に伝達する。
【００３１】
音声処理部１３０は、不図示のマイクを通じて当携帯電話機の話者の音声を受け取り、通信部１１０に伝達する。また、通信部１１０から伝達された通話の音声信号、あるいはＦＭ音量制御部１２５から伝達された音声信号を受け取り、イヤホン（ＦＭアンテナ）１１５あるいは不図示のスピーカを通じて音声出力する。
【００３２】
操作部１５０は、ユーザによる操作を受付ける不図示の各種キーからなり、通話、メールの送受信等の各種通信のための操作、およびＦＭ受信のための操作に使用される。
【００３３】
表示部１６０は、例えば液晶パネルで実現され、制御部１８０による国の設定の通知などの表示に使用される。
【００３４】
記憶部１７０は、ＲＡＭ（Ｒａｎｄｏｍ  Ａｃｃｅｓｓ  Ｍｅｍｏｒｙ）およびＲＯＭ（Ｒｅａｄ  Ｏｎｌｙ  Ｍｅｍｏｒｙ）で実現され、ＦＭ周波数リスト、通信事業者リストを記憶している。
【００３５】
図３は、国別ＦＭ周波数リスト３０１の一例を示す。
【００３６】
ＦＭ周波数リスト３０１には、国名３１１、当該国で許容されている周波数帯３１２とステップ周波数３１３、変調度３１４、補正係数３１５の項目が記載されている。
【００３７】
国名３１１は、国を識別する記号であり、数字等の符号であっても良い。周波数帯は最低周波数と最高周波数との数値情報であり、当該国でＦＭ放送するとき、放送が認可される可能性のある周波数を意味する許容周波数は、ここで示される最低周波数と最高周波数とで示される範囲になければならない。
【００３８】
ステップ周波数３１３は、上記の放送周波数のステップ値（刻み値）であり、許容周波数は、最低周波数にステップ周波数の非負の整数倍を加えた数値、つまり最低周波数からのステップ周波数毎の周波数でなければならない。
【００３９】
変調度３１４は、音の強度を周波数変調するときの値であり、最大７５ＫＨｚと４０ＫＨｚのいずれかとなる。
【００４０】
図４は、変調度と音の強度の関係を示す図である。
【００４１】
図４（ａ）は、ＦＭ放送の搬送波（周波数ｆｃ）にたいして変調度が７５ＫＨｚのとき、ある音を示す周波数４１１の変化が、図４（ｂ）の音の強度４１２の変化に対応していることを示している。周波数４１１が最大４２１のとき、音の強度４１２も最大４２２となる。
【００４２】
ここで、変調度が４５ＫＨｚのときは、周波数４１１はｆｃ＋４５ＫＨｚの周波数値４３１が最大となり、そのため音の強度も強度４３２が最大となる。したがって、例えば変調度が７５ＫＨｚを基準として音量設定がされているとき、変調度が４０ＫＨｚの国に移動したときは、ユーザによる音量設定の操作を不要とするためには、音量レベルを補正（この場合は増幅）して出力する必要がある。補正係数３１５は、その増幅のための係数である。なお、上記の補正係数は、変調度が４０ＫＨｚを基準とした値でもよい。
【００４３】
図５は、通信事業者リスト５０１の一例を示す図である。
【００４４】
国別通信事業者リスト５０１には、国名５１１、当該国の通信事業者名５１２、当該通信事業者に割り当てられている通信サービスのための通信周波数５１４（単位ＭＨｚ）の項目が記載されている。
【００４５】
国名５１１は、図３の国名と同様である。通信事業者名５１２は通信事業者を識別する記号であり、後述のＳＩＤを記載している。なお、通信事業者は必ずしも契約事業者の提携先とは限られず、通信事業者名５１２に割り当てられる通信周波数５１４は複数の場合もある。また、通信事業者名５１２と通信周波数５１４との組は、ユニーク（一意的）であり、通信事業者名５１２と通信周波数５１４とが決まれば、一つの国が特定できる。
【００４６】
制御部１８０は、通信の制御、ＦＭ放送受信の制御および国の設定の各処理を行なう。
【００４７】
制御部１８０は、操作部１５０からユーザ操作の情報を受け取り、通信部１１０を制御して通信の処理を行い、表示部ＦＭチューナ１２０、ＦＭ音量制御部１２５を制御してＦＭ放送受信の処理を行なう。
【００４８】
制御部１８０は、また、携帯電話機が現在位置する国を特定し、特定された国を現在位置する国として設定する。現在位置する国の特定を行うために、制御部１８０は、図２に示すように、国候補特定部１８１、選局指示部１８２、国設定部１８５、ＦＭ補正部１８６を有している。上記の各構成部を次に説明する。
【００４９】
国候補特定部１８１は、携帯電話機の現在位置している国の候補を特定する。国候補特定部１８１は、携帯電話機が通信する基地局の圏外に一定時間、たとえば１分いると国候補の特定の処理を開始する。
【００５０】
国候補特定部１８１は、記憶部１７０から図３のＦＭ周波数リスト３０１を読み込み、すべての国の各周波数帯３１２とステップ周波数とから得られる許容周波数をすべて算出する。
【００５１】
ある国の周波数帯がｆ１〜ｆ２（ＭＨｚ）、ステップ周波数がＳ（ＭＨｚ）、ｎを非負の整数
（０，１，２，３・・・）とすると、許容周波数ｆは、
ｆ＝ｆ１＋ｎｘＳ  ただしｆ≦ｆ２
で得られる。
【００５２】
例えば、英国は、ｆ＝８７．５＋ｎｘ０．０５  ただしｆ≦１０８．０
で得られる。周波数帯とステップ周波数とが同じ国々については、一度算出するだけでよい。たとえば、仏、独の各国も英国と同じ値が得られるので、英国を算出すれば、これらの国については算出不要である。周波数帯とステップ周波数が異なる国について、許容周波数をすべて算出し、算出した許容周波数の和集合をとって、周波数値が重複のないようにする。なお、上記のようにして得られた世界の許容周波数を予め算出し、記憶部１７０に世界の許容周波数の情報として記憶しておき、必要なときに読み出すようにしてもよい。
【００５３】
国候補特定部１８１は、上記のようにして得られた許容周波数値の若い順（または大きい順）に当該周波数値のＦＭ放送波の選局を行なう。
【００５４】
国候補特定部１８１は、許容周波数の若い順に、当該許容周波数を選局指示部１８２に指示して受信させるようにし、その応答として、選局指示部１８２から当該許容周波数の電波強度が良好か否かの情報を受け取る。良好のとき、当該許容周波数を受信良好周波数として良好選局情報に記載し、さらに当該受信良好周波数を許容周波数としている国に該当するか否かをチェックし、チェック結果をマークする。ここで、当該許容周波数を許容周波数としているとは、当該国の周波数帯とステップ周波数とで決まる許容周波数のいずれかに合致することをいう。
【００５５】
図６は、良好選局情報の一例を示す図である。良好選局情報６０１では、８７．８ＭＨｚをはじめ３つの許容周波数の電波強度が良好であったことを示している。〇と×とは、各許容周波数が、当該国の許容周波数に該当していることを示す該当マークと、いないことを示す非該当マークとを示す。
【００５６】
国候補特定部１８１は、以上のようにして得られた良好選局情報６０１において、電波強度が良好な周波数のすべてが該当する国を、携帯電話機が現在位置する国の候補として特定（以下「国候補の特定」という）する。国候補特定部１８１は、国候補の特定後、国設定部１８５を起動し、国設定の処理を行なわせる。
【００５７】
選局指示部１８２は、国候補特定部１８１から、選局する周波数の指示を受け取り、ＦＭチューナ１２０に対して当該周波数での選局を指示する。また、ＦＭチューナから当該周波数の電界強度を電波強度とみなして受け取る。受け取った電界強度が所定の基準値（第１の基準値）以上であれば電波強度が良好と判断して、基準値未満であれば電波強度が不良と判断し、判断結果を国候補特定部１８１に伝達する。ここで、上記の電界強度の基準値を、たとえばー７４ｄＢｍとする。
【００５８】
国設定部１８５は、国候補特定部１８１により特定された国候補から、携帯電話機の現在位置する国を特定し、その国を現在位置の国として設定する。国候補特定部１８１により特定された国候補が一つのときは、その国を現在の国として設定する。また、国候補が複数のときは、さらに、一国に特定するために、通信周波数のサーチを次のように行なう。
【００５９】
国設定部１８５は、記憶部１７０の通信事業者リスト５０１を読み込み、国候補にあげられた複数の国について、通信事業者リスト５０１の先頭から順に、さらに当該国の通信事業者名５１２（ＳＩＤであり後述）を先頭から順に、当該通信事業者に割当てられた通信周波数５１４の周波数で基地局からの通信電波をサーチするように通信部１１０に指示する。
【００６０】
そして、通信部１１０から、当該サーチの結果が良好か否かの結果を受け取り、良好のときはさらにＳＹＮＣ情報も受け取る。このＳＹＮＣ情報には、ＳＩＤ（Ｓｙｓｔｅｍ  ＩＤ）と呼ばれる情報が含まれ、ＳＩＤにより通信事業者を特定することができる。以降では、このＳＩＤを以って、通信事業者名とみなす。国設定部１８５は、ＳＹＮＣ情報を受け取ったとき、ＳＹＮＣ情報に含まれているＳＩＤの通信事業者名が、サーチした当該周波数の通信事業者名５１２と一致するか否かチェックし、一致すればサーチ中の当該国を携帯電話機の現在位置の国として特定し、当該国を現在の国として設定し、国設定した旨の表示を表示部１６０に行なう。そして、ＦＭ補正部１８６に対して、当該国におけるＦＭ出力の補正を行なわせる。
【００６１】
ＦＭ補正部１８６は、国設定部１８５からの指示で、国設定部１８５が設定した国に準じたＦＭ出力補正の処理を行なう。ＦＭ補正部１８６は、ＦＭ周波数リスト３０１から国設定部１８５が設定した国の補正係数３１５を読みだし、その補正係数３１５をＦＭ音量制御部１２５に渡して、ＦＭ放送の出力補正を行わせる。
【００６２】
図７は国候補特定の動作を、また、図８は国設定の動作をそれぞれ示すフローチャートである。これらの図を用いて、各動作について説明する。
【００６３】
国候補特定の動作は、まず、携帯電話機が通信する基地局の圏外に一定時間以上、たとえば１分以上いると判断すると（図７のＳ１０）、開始される。
【００６４】
国候補特定部１８１は、記憶部１７０から図３のＦＭ周波数リスト３０１を読み込み（Ｓ２０）、各国の周波数帯３１２とステップ周波数とから得られる許容周波数をすべて算出し、算出した許容周波数全部の和集合をとって、周波数値が重複のないようにする（Ｓ２５）。そして、こうして得られた周波数について、順次選局していく。
【００６５】
国候補特定部１８１は、許容周波数の若い順に（Ｓ３０）、選局指示部１８２に対して当該許容周波数で選局するように指示する（Ｓ４０）、選局指示部１８２は、当該周波数で選局し、その周波数の電界強度を検出する（Ｓ５０）。当該電界強度が良好か否かを所定の基準値により判断し（Ｓ６０）、国候補特定部１８１に伝達する。良好と判断されたとき、国候補特定部１８１は、電波強度が良好とみなし、当該許容周波数を良好選局情報６０１に記載し、さらに、当該許容周波数が許容周波数に該当している国に該当マークを、該当していない国に非該当マークを記載する。そして、良好選局情報６０１に記載されたすべての良好な周波数がすべて該当する国（国候補）を検索し（Ｓ７０）、その数をチェックする（Ｓ７５）。該当する国の数が一つのとき、処理が途中であっても終了する。
該当する国の数が複数なら、次の許容周波数の選局処理に移る。
【００６６】
国候補特定の動作が終了すると、国設定の動作が開始される。
【００６７】
国設定部１８５は、国候補特定部１８１により起動され、国候補特定部１８１により特定された国候補が複数か否かをチェックし（図８のＳ１００）、複数でないとき、つまり一つのとき、その国候補を携帯電話機が現在位置する国として携帯電話機の国設定を行う（Ｓ１６０）。さらに、国設定した旨の表示を表示部１６０に行なうとともに、ＦＭ補正部１８６に対して、当該国に準じたＦＭ出力補正を行うように指示してから（Ｓ１７０）、国設定の処理を終了する。
【００６８】
国候補が複数のとき、図５の通信事業者リスト５０１を読み込み（Ｓ１０５）、国候補にあげられた複数の国について、通信事業者リスト５０１の先頭側から順に（Ｓ１１０）、さらに当該国の通信事業者名５１２で示される通信事業者から順に（Ｓ１２０）、当該通信事業者に割当てられた通信周波数５１４の周波数で基地局からの通信電波をサーチするように通信部１１０に指示する（Ｓ１３０）。
【００６９】
通信部１１０は、指示された周波数の電界強度を検出する（Ｓ１４０）。検出した電界強度が所定の基準値以上であるか否かチェックし（Ｓ１５０）、基準値以上であれば電波強度が良好と、また基準値未満であれば電波強度が不良と判断し、判断結果を国設定部１８５に伝達する。
【００７０】
さらに、電界強度が良好であるとき、通信事業者から発信されているＳＹＮＣ情報を受信し、国設定部１８５に伝達する。
【００７１】
国設定部１８５は、通信部１１０からサーチの結果が良好か否かの結果を受け取り、良好のときはさらにＳＹＮＣ情報も受け取る。
【００７２】
国設定部１８５は、ＳＹＮＣ情報を受け取ったとき、当該ＳＹＮＣ情報に含まれているＳＩＤ（通信事業者名）が、サーチした当該通信周波数５１４の通信事業者名５１２と一致するか否かチェックし（Ｓ１５５）、一致している場合は、当該候補国を現在位置する国として国設定するためＳ１６０の処理に移行する。なお、当該通信事業者に割当てられた周波数が複数ある場合、順次サーチ処理を同様に行なう。
【００７３】
以上、本発明を上記の実施の形態に基づいて説明してきたが、本発明は、上記の実施の形態に限定されないのは勿論である。以下のような場合も本発明に含まれる。
【００７４】
本発明は、実施の形態では、携帯電話機として説明したが、通信機能とＦＭ放送受信機能を有する携帯端末、例えばＰＤＡ（Ｐｅｒｓｏｎａｌ  Ｄａｔａ  Ａｓｓｉｓｔａｎｔ）に適用してもよいのは勿論である。
【００７５】
また、電波の強度として電界強度を用いたが、これに限られないのは勿論であり、また電波強度が良好かどうかの判断基準となる電界強度の基準値が可変であるのは勿論である。
【００７６】
本発明は、実施の形態では、ＦＭ放送受信により国候補を特定し、特定された国候補の国について、通信事業者リストをもとに通信周波数をサーチして国を特定するとしたが、これを、国候補の特定をしないで、はじめから、通信事業者リストをもとに、先頭の国から順に、各通信事業者の通信周波数を順にサーチして、一つの国の特定を行なうようにしてもよいのは勿論である。
【００７７】
また、実施の形態では、ＦＭ放送の許容周波数の情報として、国別の周波数帯とステップ周波数としたが、一つ以上の特定の周波数の情報としてもよく、また、国別の代わりに、近隣の国々で同一の許容周波数を有するものを地域（たとえば西欧地域）としてとらえ、国候補の特定に代えて地域の特定とするようにしてもよい。
【００７８】
また、受信により国候補を特定し、特定された国候補の国について、通信事業者リストをもとに通信周波数をサーチして国を特定するとしたが、これを、国候補の特定をしないで、はじめから、通信事業者リストをもとに、先頭の国から順に、各通信事業者の通信周波数を順にサーチして、一つの国の特定を行なうようにしてもよい。
【００７９】
本発明の方法を、コンピュータシステムを用いて実現するためのコンピュータプログラムであるとしてもよいし、前記プログラムを表すデジタル信号であるとしてもよい。
【００８０】
また、本発明は、前記プログラム又は前記デジタル信号を記録したコンピュータ読取り可能な記録媒体、例えば半導体メモリ等であるとしてもよい。
【００８１】
また、本発明は、電気通信回線、無線又は有線通信回線、若しくはインターネットに代表されるネットワーク等を経由して伝送される前記コンピュータプログラム又は前記デジタル信号であるとしてもよい。
【産業上の利用可能性】
【００８２】
本発明に係る携帯電話機は、海外での国際ローミングサービスの利用で活用される。
【符号の説明】
【００８３】
１０５  アンテナ
１１０  通信部
１１５  イヤホン（ＦＭアンテナ）
１２０  ＦＭチューナ
１２５  ＦＭ音量制御部
１３０  音声処理部
１５０  操作部
１６０  表示部
１７０  記憶部
１８０  制御部
１８１  国候補特定部
１８２  選局指示部
１８５  国設定部
１８６  ＦＭ補正部
２１０  ＦＭ放送局
２１１  通信基地局
３０１  ＦＭ周波数リスト
５０１  通信事業者リスト
６０１  良好選局情報
【図１】
2010136393.tif 000003
【図２】
2010136393.tif 000004
【図３】
2010136393.tif 000005
【図４】
2010136393.tif 000006
【図５】
2010136393.tif 000007
【図６】
2010136393.tif 000008
【図７】
2010136393.tif 000009
【図８】
2010136393.tif 000010